(57)【要約】【課題】ＬＥＤ照明を無線スイッチで制御する照明システムにおいて、ＬＥＤ照明を操作する場合、多くのボタンを必要とし、送信データ量が増えるため、無線スイッチの動作には、電池等による電力を確保する必要であった。そこで、本発明は、電池等による電力を必要とせず、ボタンの操作力を電気エネルギーに変換する仕組みを内蔵したスイッチ装置のような省電力無線スイッチでもＬＥＤ照明の調光制御がおこなえるようにする。【解決手段】無線スイッチのボタンの押し離しの間隔時間に対して、ＬＥＤ照明調光器にあらかじめ設定された時間より短い場合は、ＬＥＤ照明の点灯、消灯動作を行い、あらかじめ設定された時間より長い場合は、前記ＬＥＤ照明調光器に設けたインターバルタイマ回路が起動し、そのインターバルタイマのタイムアウトタイミングでＬＥＤ照明の明るさを上昇または降下させる調光動作をするＬＥＤ照明システム。【選択図】図１
2020092073.tif 000002
【特許請求の範囲】
【請求項１】
無線スイッチ装置のボタンの押し離しによる無線信号を受信して動作するＬＥＤ照明調光器で、ＬＥＤ照明を制御するＬＥＤ照明システムにあって、
前記ボタンの押す時と離した時にスイッチ識別符合と、ボタン識別符号と、ボタン押しまたは離し識別符号とが付与されているデータを１回のみそれぞれ前記ＬＥＤ照明調光器に送信し、受信した前記ＬＥＤ照明調光器が、前記ボタンを押し離しの間隔時間を元に、前記ＬＥＤ照明器具の点灯、消灯または調光を行うＬＥＤ照明システム。
【請求項２】
前記無線スイッチ装置の無線信号は、スイッチ識別符合と、ボタン識別符号と、ボタン押しまたは離し識別符号とが付与されているデータで、前記ＬＥＤ照明調光器には、予め登録されたスイッチ識別符合と合致する無線信号のボタン識別符号、ボタン押し離し識別符号に基づいて調光動作をする請求項１に示したＬＥＤ照明システム。
【請求項３】
前記ＬＥＤ照明調光器は、パルス幅変調信号を０％以外の値に変化させた場合、前記ＬＥＤ照明調光器の電源が切られた場合でも値が保持される不揮発性メモリ部にパルス幅変調信号の％記憶し、前記ＬＥＤ照明調光器の電源がＯＮになった時に、その値を利用してＬＥＤ照明の明るさを再現させることができる請求項１または２に示したＬＥＤ照明システム。
【請求項４】
前記ＬＥＤ照明調光器が、パルス幅変調信号の割合を上昇または降下する処理の実施を記憶し、前記ボタンを押し、離す間隔時間が一定時間を超えた場合に実施される、ＬＥＤ照明の調光を交互に切り替える機能を有する請求項１、２または３に示したＬＥＤ照明システム。
【発明の詳細な説明】
【技術分野】
【０００１】この発明は、ＬＥＤ照明システムに関する。
【背景技術】
【０００２】従来、ＬＥＤ照明を無線スイッチで制御する照明システムにおいて、調光及び点灯、消灯を指示するには、無線スイッチの２つ以上のボタン操作し、ボタンを押す回数または押し続けることにより指示を与えている。
たとえば、特許文献１には、調光を暗ボタン、明ボタンの２つのボタンを有する無線スイッチを使用する方法が提案されている。
また、特許文献２には、スイッチボタンの操作力を電気エネルギーに変換するエネルギー自給装置を内蔵したスイッチ装置を備えた照明システムにおいて、ボタンを押した時に発せられる無線信号の受信回数に応じた制御信号を生成する制御信号生成回路を有する照明システムにより、スイッチボタンの移動量が少なくて済むため、スイッチ装置を小型化あるいは薄型化することができる方法が提案されている。
【先行技術文献】
【特許文献】
【０００３】
【特許文献１】特開２０１１−１５０９１４公報
【特許文献２】特開２０１１−２３３４９３公報
【発明の概要】
【発明が解決しようとする課題】
【０００４】しかしながら、以上の技術によれば、ＬＥＤ照明を操作する場合、多くのボタンを必要とし、送信データ量が増えるため、無線スイッチを使用する場合においてもその動作には、電池等による電力を確保する必要であった。【０００５】そこで、本発明は、電池等による電力を必要とせず、ボタンを押す時と離した時にスイッチ識別符合と、ボタン識別符号と、ボタン押しまたは離し識別符号とが付与されているデータを１回のみ送信し、受信したＬＥＤ照明調光器がそのボタンを押し、離す間隔時間を元にＬＥＤ照明の点灯、消灯、調光を行う装置を実現する。これによりボタンを押し続けることによる信号の連続送信が不要になり、ボタンの操作力を電気エネルギーに変換する仕組みを内蔵した無線スイッチ装置のような省電力無線スイッチでも、ＬＥＤ照明の調光制御が可能となるＬＥＤ照明システムを提供することを課題とする。
【課題を解決するための手段】
【０００６】本発明は、上記の課題を解決するために、下記のＬＥＤ照明システムを提供するものである。
（１）無線スイッチ装置のボタンの押し離しによる無線信号を受信して動作するＬＥＤ照明調光器で、ＬＥＤ照明を制御するＬＥＤ照明システムにあって、
前記ボタンの押す時と離した時にスイッチ識別符合と、ボタン識別符号と、ボタン押しまたは離し識別符号とが付与されているデータを１回のみそれぞれ前記ＬＥＤ照明調光器に送信し、受信した前記ＬＥＤ照明調光器が、前記ボタンを押し離しの間隔時間を元に、前記ＬＥＤ照明器具の点灯、消灯または調光を行うＬＥＤ照明システム。
（２）前記無線スイッチ装置の無線信号には、スイッチ識別符合、ボタン識別符号、ボタン押し、離し識別符号が付与されていて、前記ＬＥＤ照明調光器には、予め登録されたスイッチ識別符合と合致する無線信号のボタン識別符号、ボタン押し離し識別符号に基づいて調光動作をする（１）のＬＥＤ照明システム。
（３）前記ＬＥＤ照明調光器は、パルス幅変調信号を０％以外の値に変化させた場合、前記ＬＥＤ照明調光器の電源が切られた場合でも値が保持される不揮発性メモリ部にパルス幅変調信号の％記憶し、前記ＬＥＤ照明調光器の電源がＯＮになった時に、その値を利用してＬＥＤ照明の明るさを再現させることができる（１）または（２）のＬＥＤ照明システム。
（４）前記ＬＥＤ照明調光器が、パルス幅変調信号の割合を上昇または降下する処理の実施を記憶し、前記ボタンを押し、離す間隔時間が一定時間を超えた場合に実施される、ＬＥＤ照明の調光を交互に切り替える機能を有する（１）、（２）または（３）のＬＥＤ照明システム。
【発明の効果】
【０００７】  本発明によれば、電池等による電力を必要とせず、ボタンの操作力を電気エネルギーに変換する仕組みを内蔵したスイッチ装置のような省電力無線スイッチでも、ＬＥＤ照明の調光制御が可能となるＬＥＤ照明システムを提供することができる。
第一発明によれば、ＬＥＤ照明の明るさを変更する調光機能を、無線スイッチがボタンを押した時、ボタンを離した時に送信する短い信号により実現する。
照明を点灯、消灯する操作と照明を明るくする操作はＬＥＤ照明調光器側で信号の受信間隔に基づいて判断し処理がおこなわれる。これにより単純な無線信号しか送信できない無線送信機の１つのボタンを利用したＬＥＤ照明調光器が実現できる。
第二発明によれば、同様のシステム複数存在する環境でも正しく組み合わされた無線スイッチからの有効な信号を処理することができるＬＥＤ調光装置が実現できる。
第三発明によれば、ＬＥＤ照明調光器の電源がＯＮにされた時に不揮発性メモリ部に記憶された、値を読み出し、現在のパルス幅変調信号値として設定することによりＬＥＤ照明をＬＥＤ調光器の電源がＯＦＦされる前の明るさに再現することができる。
第四発明によれば、ボタンを押し続けることで実現するパルス幅変調信号の上昇、パルス幅変調信号の降下を無線スイッチのボタンの長押しを交互におこなうことにより実現できる。これにより１つのボタンでＬＥＤ照明の明るさを上昇、降下させることができる。
【図面の簡単な説明】
【０００８】
【図１】本発明の実施形態の一例を示す構成図である。
【図２】本発明を実施するコントローラの処理手順の一例を示すフローチャートである。
【発明を実施するための形態】
【０００９】本発明の無線スイッチ装置は、信号を入力するボタンと、入力された信号を下記のＬＥＤ照明調光器に送信する送信部を有し、スイッチ固有の識別符合、どのボタンが操作されたかのボタン識別符号、ボタン押したかまたは離したかを判断できる識別符号が含まれたデータを、ボタンを押した時、ボタンを離した時に送信する能力を有する。
ボタンの操作力を電気エネルギーに変換する仕組みをもつことが、省電力の点で好ましい。
【００１０】本発明のＬＥＤ照明調光器は、無線スイッチ装置からの信号を受信する受信部と、受信したデータを処理する処理するコントローラと、処理したデータをパルス幅変調信号として、ＬＥＤ照明器に送出する送出部を有する。
無線スイッチ装置からの信号を受信し、受信した信号から送信したスイッチを識別するスイッチ識別符合取り出し、予め登録されているスイッチ識別符号と合致した場合のみ処理を実施する機能を有し、
ボタンを押した時に受信した信号からボタンを離した時に受信した信号の間隔が予め定められた時間以内の場合はＬＥＤ照明器具を点灯または消灯する動作を行う機能を有し、
ボタンを押した時に受信した信号からボタンを離した時に受信した信号の間隔が予め定められた時間を超えた場合はＬＥＤ照明器具の明るさを変化させる調光処理を行う機能を有し、
パルス幅変調信号を送出する機能を有する。
【００１１】本発明のＬＥＤ照明駆動電源装置は、パルス幅変調信号によるＬＥＤの調光機能を有しないＬＥＤ照明に対し、ＬＥＤの調光機能を提供する機能を持つ。
【００１２】本発明の不揮発性メモリ部は、ＬＥＤ照明調光器に内蔵された半導体メモリで、スイッチ識別符合、現在のパルス幅変調信号の％を記憶する能力を有する。
【００１３】本発明のＴ１タイマは、無線スイッチ装置のボタンを押した時の信号受信からボタンを離した時の信号受信までの間隔を測るタイマ。
【００１４】本発明のＴ２インターバルタイマは、ボタンを押した時の信号受信から、ＬＥＤ照明調光器にあらかじめ設定された時間ｔ１時間経過してもボタンを離した時の信号が受信されない場合スタートするタイマ。Ｔ２インターバルタイマは、一定時間でタイムアウトを繰り返すタイマで、アイムアウトするタイミングで、パルス幅変調信号の上昇、降下等の処理を実施する。
【００１５】本発明のフラグ１は、現在のＬＥＤ照明の明るさ、調光動作が″上昇″または″降下″として処理されたことに基づいて設定されるフラグ。フラグ１は、現在のＬＥＤ照明の明るさが０％または実施された調光動作が“降下”である場合は、“上昇”として設定され、現在のＬＥＤ照明の明るさが１００％または実施された調光動作が“上昇”である場合は、“降下”として設定される。Ｔ２インターバルタイマのタイムアウトにより処理されるパルス幅変調信号の上昇、降下処理はこのフラグ１の値により実施される。
【００１６】本発明のパルス幅変調信号コントロール回路は、パルス幅変調信号のデューティ比を作り出す処理回路。
【００１７】本発明のＬＥＤ照明は、パルス幅変調信号に基づいた調光機能を有するものと、パルス幅変調信号に基づいた調光機能をＬＥＤ照明駆動電源装置で実現するものがある。
【００１８】以下、本発明の実施の形態を図面に基づいて説明する。
【００１９】図１は、本発明の実施形態を示す構成図である。
ボタン１２の操作力を電気エネルギーに変換する仕組みをもつ無線スイッチ１が送信する無線信号を、ＬＥＤ照明調光器２の無線信号受信器３が受信し、コントローラ４に送る。次に、その信号に含まれるスイッチ符合識別を、符合識別検知器５が処理すべき識別符合か判断し、さらにその信号にボタン１２を押した時または離した時の識別符合が含まれる場合は、Ｔ１タイマ６に送る。次に、ボタン１２を押した時の識別符合とボタン１２を離した時の識別符合の受信間隔が、ＬＥＤ照明調光器２にあらかじめ設定された時間ｔ１時間以下の場合は、パルス幅変調信号コントロール回路８のパルス幅変調信号停止またはパルス幅変調信号ＯＮにより、パルス幅変調信号の発停を制御し、先の無線スイッチ１のボタン１２を押した時の識別符合受信からｔ１時間を経過しても、無線スイッチ１のボタン１２を離した時の識別符合受信が無い場合は、Ｔ２インターバルタイマ７をスタートし、Ｔ２インターバルタイマ７のタイムアウト間隔で、パルス幅変調信号ＵＰまたはパルス幅変調信号ＤＯＷＮの処理をパルス幅変調信号コントロール回路８にて行い、Ｔ２インターバルタイマ７が起動中に、無線スイッチ１のボタン１２を離した時の識別符合を受信した場合は、Ｔ２インターバルタイマ７を停止し、パルス幅変調信号コントロール回路８で決められたパルス幅変調信号パーセンテージは、信号生成回路９に送られ電気信号に変換され、信号増幅出力回路１０に送られＬＥＤ照明１１に送られることによりＬＥＤ照明１１が調光可能となるようなボタン１２を押した時の信号とボタンを離した時の信号でＬＥＤ照明１１の点灯と消灯および調光操作が可能となる。
【００２０】図２は、本発明を実施するコントローラの処理手順の一例を示すフローチャートである。
図２では、本発明に関する無線信号受信からパルス幅変調信号生成に関するコントローラの処理に関するロジックを示す。
受信器で受信された信号は、コントローラの識別符合検知に送られる。識別符合検知においては、信号受信識別符合判断処理（ステップＦ１）により受信信号の解析が行われる。信号受信識別符合判断処理においては、受信処理（ステップＦ２）において信号の待受をおこなう。
受信データが正常であると判断（ステップＦ３）されるとその信号に含まれるスイッチ識別符合がこのＬＥＤ照明調光器が処理すべき信号であるかを判断する（ステップＦ４）。受信信号がこのＬＥＤ照明調光器で処理すべきものである場合、受信信号に含まれるボタンを押した時の識別符合またはボタンを離した時の識別符合を取り出す（ステップＦ５）。ボタンを押した時の識別符合の場合はステップＦ７、ボタンを離した時の識別符合の場合はステップＦ６に処理を渡す。
ステップＦ６では、受信データにボタンを押した時の識別符合が含まれる場合は、タイマＴ１をスタートし受信データ待ちにもどる。
ステップＦ７では、タイマＴ１の経過時間を確認し、経過時間がｔ１以内の場合は、ステップＦ８に移行し、ｔ１を超える場合は、ステップＦ１４に移行する。
ステップＦ８では、現在のパルス幅変調信号値を確認し、０％以外である場合は、ステップＦ１１に移行し、０％である場合は、ステップＦ９に移行する。
ステップＦ１１では、パルス幅変調信号値を０％に設定し、フラグ１を“上昇”に設定（ステップＦ１２）し、受信データ待ちにもどる。
ステップＦ１３では、インターバルタイマＴ２を停止し、フラグ１の″上昇″、″降下″を反転（ステップＦ１４）し、ステップＦ１９に移行する。
ステップＦ９では、フラグ２の値を確認し、“ＯＮ”の場合は、ステップＦ１０に移行し、“ＯＦＦ”の場合は、ステップＦ１６に移行する。
ステップＦ１０では、不揮発性メモリから読み出した値をパルス幅変調信号値に設定し、ステップＦ１６に移行する。
ステップＦ１５では、パルス幅変調信号値を１００％に設定し、ステップＦ１６に移行する。
ステップＦ１６では、フラグ１を“降下”に設定し、ステップＦ１７に移行する。
ステップＦ１７では、タイマＴ３をスタートし、受信データ待ちにもどる。
ステップＦ１８では、現在のパルス幅変調信号値を確認し、０％以外の場合は、ステップＦ１７に移行し、０％の場合は受信データ待ちにもどる。
ステップＦ２０のタイマＴ１処理は、タイマＴ１が動作中にその値を管理し、タイマＴ１が動作中の場合はステップＦ２２に移行する（ステップＦ２１）。
ステップＦ２２では、タイマＴ１の経過時間を確認し、その値がｔ１を超える場合は、ステップＦ２３に移行する。経過時間がｔ１未満の場合はタイマＴ１監視を続ける。
ステップＦ２３では、インターバルタイマＴ２が既に動作中であるか確認する。インターバルタイマ２が動作していない場合は、ステップＦ２４に移行する。既に動作中である場合は、タイマＴ１処理を終了する（ステップＦ２５）。
ステップＦ２４では、インターバルタイマＴ２をスタートする。さらに、タイマＴ１処理を終了する（ステップＦ２５）。
ステップＦ２６では、インターバルタイマＴ２を管理する。インターバルタイマＴ２のタイムアウトをステップＦ２７で監視する。
ステップＦ２７では、インターバルタイマＴ２がタイムアウトした場合ステップＦ２８に移行する。
ステップＦ２８では、フラグ１を確認する。値が”上昇”の場合は、ステップＦ２９に移行する。値が“降下”の場合は、ステップＦ３１に移行する。
ステップＦ２９では、パルス幅変調信号値を１％ＵＰし、ステップＦ３０に移行する。
ステップＦ３１では、パルス幅変調信号値を１％ＤＯＷＮし、ステップＦ３２に移行する。
ステップＦ３０では、パルス幅変調信号値が１００％であるか確認する。ＹＥＳの場合はステップＦ３３に移行し、ＮＯの場合はインターバルタイマＴ２のアイムアウト待ちに戻る。
ステップＦ３２では、パルス幅変調信号値が０％であるか確認する。ＹＥＳの場合はステップＦ３３に移行し、ＮＯの場合はインターバルタイマＴ２のアイムアウト待ちに戻る。
ステップＦ３３では、インターバルタイマＴ２のタイムアウト待ち処理を終了する。
ステップＦ３３では、インターバルタイマＴ２のタイムアウト監視処理を終了する。
ステップＦ３４では、タイマＴ３のタイムアウト処理を実施する。
ステップＦ３５では、タイマＴ３が動作中であるか確認する。ＹＥＳの場合は、ステップＦ３６に移行する。
ステップＦ３６では、タイマＴ３がタイムアウトしたか確認する。ＹＥＳの場合は、ステップＦ３７に移行し、ＮＯの場合はタイムアウトを監視を継続する。
ステップＦ３７では、現在のパルス幅変調信号値を不揮発性メモリに保存し、ステップＦ３８に移行する。
ステップＦ３８では、タイマＴ３のタイムアウト監視処理を終了する。
【符号の説明】
【００２１】１…無線スイッチ装置
２…ＬＥＤ照明調光器
３…無線信号受信器
４…コントローラ
５…識別符合検知器
６…Ｔ１タイマ
７…Ｔ２インターバルタイマ
８…パルス幅変調信号コントロール回路
９…信号生成回路
１０…  信号増幅出力回路
１１…ＬＥＤ照明
１２…ボタン
【図１】
2020092073.tif 000003
【図２】
2020092073.tif 000004